(57)【要約】【課題】ヒト成長ホルモン粉末と乳糖粉末とを含んでなる粉末製剤において、保存安定性を改善する方法を提供すること、及びそのように保存安定性の改善された粉末製剤を提供すること。【解決手段】成長ホルモン粉末と乳糖粉末とを含んでなる混合粉末中における成長ホルモンを安定化する方法であって、混合粉末を、乾燥剤及び脱酸素剤と共に、又は乾燥機能及び脱酸素機能を併せ持った物質と共に、乾燥剤及び脱酸素剤又は物質との直接接触を防止した状態で、ガスバリア性の容器内に密封することを特徴とする方法、及び、成長ホルモン粉末と乳糖粉末とを含んでなる混合粉末が、乾燥剤及び脱酸素剤と共に、又は乾燥機能及び脱酸素機能を併せ持った物質と共に、乾燥剤及び脱酸素剤又は物質との直接接触が防止された状態で、ガスバリア性の容器内に密封されていることを特徴とする、成長ホルモン含有粉末製剤。【選択図】　なし【特許請求の範囲】
【請求項１】
成長ホルモン粉末と乳糖粉末とを含んでなる混合粉末中における成長ホルモンを安定化する方法であって、該混合粉末を、乾燥剤及び脱酸素剤と共に、又は乾燥機能及び脱酸素機能を併せ持った物質と共に、該乾燥剤及び該脱酸素剤又は該物質との直接接触を防止した状態で、ガスバリア性の容器内に密封することを特徴とする方法。
【請求項２】
該乳糖粉末がスプレー乾燥乳糖である、請求項１の方法。
【請求項３】
該乳糖粉末が水分含量１％以下の乳糖粉末である、請求項１の方法。
【請求項４】
該乳糖粉末が無水乳糖である、請求項１の方法。
【請求項５】
該成長ホルモン粉末が、真空乾燥処理に付されたものである、請求項１ないし４の何れかの方法。
【請求項６】
成長ホルモンの該混合物に対する重量比率が０．２〜５：３０である、請求項１ないし５の何れかの方法。
【請求項７】
成長ホルモン粉末と乳糖粉末とを含んでなる混合粉末が、乾燥剤及び脱酸素剤と共に、又は乾燥機能及び脱酸素機能を併せ持った物質と共に、該乾燥剤及び該脱酸素剤又は該物質との直接接触が防止された状態で、ガスバリア性の容器内に密封されていることを特徴とする、成長ホルモン含有粉末製剤。
【請求項８】
該乳糖粉末が水分含量１％以下の乳糖である、請求項７の成長ホルモン含有粉末製剤。
【請求項９】
成長ホルモンの該混合物に対する重量比率が０．２〜５：３０である、請求項７又は８の成長ホルモン含有粉末製剤。
【発明の詳細な説明】
【０００１】
【発明の属する技術分野】
本発明は、成長ホルモン含有の粉末製剤の安定化に関し、より詳しくは、成長ホルモン及び乳糖を含有する粉末製剤の製造における、保存安定性の改善に関する。
【０００２】
【従来の技術及び発明が解決しようとする課題】
気管支喘息や慢性閉塞性肺疾患に対する吸入療法が普及しているが、吸入療法はまた、皮下注射等のような全身投与に代わり得る手段としても検討が進められている。例えば、成長ホルモンやインスリンなどの生理活性ペプチドの投与手段として吸入による経肺吸収を利用することにより、従来患者の苦痛を強いてきた日常的皮下注射の必要をなくそうとするものである。
【０００３】
吸入用製剤としては、近年、フロンガスのような噴射剤を用いない粉末吸入型の製剤が着目され、喘息薬について開発、製品化が行われている。これは、薬剤含有の粉末を粉末吸入器によってエアロゾル化して吸入するものであり、生理活性ペプチドの吸入用製剤についても、粉末の形での製剤化について研究が行われている。吸入用の粉末製剤は、通常、薬物と乳糖等のような不活性な賦形剤の混合物として提供される。
【０００４】
吸入用の粉末製剤について検討すべき事項の一つとして、粉末状態で保存中の安定性がある。本発明等は、ヒト成長ホルモン粉末と乳糖粉末との混合粉末を製造し、予備的な安定性試験（加速試験）を実施したところ、ヒト成長ホルモン原体に比して安定性に劣るという結果が得られた。生理活性ペプチドの粉末経肺製剤を製造するにあたって、乳糖は安全性の点で賦形剤として特に好ましいものの一つである。また、乳糖を賦形剤として配合したヒト成長ホルモンの粉末製剤が、乳糖を配合しない場合に比して、経肺投与したときのヒト成長ホルモンの血中移行性において優れていることを、本発明者等は既に見出している（特願２００１−１５８８３）。従って、乳糖を用いつつ、しかもヒト成長ホルモン含有の粉末製剤を安定化できることが望ましい。
【０００５】
この背景の下で、本発明は、ヒト成長ホルモン粉末と乳糖粉末とを含んでなる粉末製剤において、保存安定性を改善する方法を提供すること、及びそのように保存安定性の改善された粉末製剤を提供することを目的とする。
【０００６】
【課題を解決するための手段】
本発明者らは、成長ホルモン製剤の保存安定性を改善するために、種々の製造条件つき検討した結果、意外にも、保存中の成長ホルモンの雰囲気の乾燥及び脱酸素を同時に行うことで、安定性が改善できることを見出た。また製剤製造時に用いる乳糖として水分含量の低いものを用いることが有効であることも見出した。
【０００７】
すなわち本発明は、成長ホルモン粉末と乳糖粉末とを含んでなる混合粉末中における成長ホルモンを安定化する方法であって、該混合粉末を、乾燥剤及び脱酸素剤と共に、又は乾燥機能及び脱酸素機能を併せ持った物質と共に、該乾燥剤及び該脱酸素剤又は該物質との直接接触を防止した状態で、ガスバリア性の容器内に密封することを特徴とする方法を提供する。
【０００８】
本発明の方法において、該乳糖粉末は、スプレー乾燥乳糖、水分含量１％以下の乳糖、又は無水乳糖であることが好ましい。また好ましくは、用いる成長ホルモンは、真空乾燥処理に付されたものである。また、成長ホルモンの該混合物に対する重量比率は、好ましくは、０．２〜５：３０の範囲にある。
【０００９】
本発明はまた、成長ホルモン粉末と乳糖粉末とを含んでなる混合粉末が、乾燥剤及び脱酸素剤と共に、又は乾燥機能及び脱酸素機能を併せ持った物質と共に、該乾燥剤及び該脱酸素剤又は該物質との直接接触が防止された状態で、ガスバリア性の容器内に密封されていることを特徴とする、成長ホルモン含有粉末製剤をも提供する。
【００１０】
本発明の成長ホルモン含有粉末製剤において、該乳糖粉末は、水分含量１％以下の乳糖であることが好ましい。また、成長ホルモンの該混合物に対する重量比率は、好ましくは、０．２〜５：３０の範囲にある。
【００１１】
【作用】
上記の方法をとることにより、成長ホルモンと乳糖とからなる混合粉末製剤における成長ホルモンの長期保存中の安定性が改善される。
【００１２】
【発明の実施の形態】
本発明において、乾燥剤及び脱酸素剤としては、種々のものが市販されており、それらを適宜選択し組合わせて用いることができる。乾燥機能と脱酸素機能とを併せ持つ物質も市販されており、その一例として、ＲＰ剤（三菱ガス化学製）が挙げられる。
【００１３】
また、本発明において「成長ホルモン」は、好ましくはヒト成長ホルモンである。ヒト成長ホルモンとしては、ヒト下垂体より抽出できる１９１個のアミノ酸からなる分子量２２，１２５の２２Ｋ　ｈＧＨのみならず、３２〜４６番目の１５アミノ酸の欠失した、同等の成長促進作用を示す２０Ｋ　ｈＧＨをも包含する。また、本発明において、「ヒト成長ホルモン」の語は、これら天然型ヒト成長ホルモンのみならず、天然ヒト成長ホルモンと同等の作用を有する遺伝子組換えにより得られたタンパク質をも含む。遺伝子組換えによるヒト成長ホルモンとしては、１９２個のアミノ酸よりなるＮ末端メチオニン型のもの、及びこの末端メチオニンが除去されたものが例示される。
【００１４】
ガスバリア性の容器内において、成長ホルモン粉末と乳糖粉末とを含んでなる混合粉末と、乾燥剤及び脱酸素剤又は乾燥機能及び脱酸素機能を併せ持った物質との直接接触を防止するには、例えば、混合粉末を硬カプセルに封入し、且つ脱酸素剤、乾燥剤又は該物質を酸素及び水分透過性のバッグに封入しておく等、通常の方法を適宜用いればよい。
【００１５】
【実施例】
以下、実施例を挙げて、本発明を更に具体的に説明するが、本発明が該実施例に限定されることは意図しない。
【００１６】
成長ホルモン（ｒ−ｈＧＨ）原体と３種の乳糖（乳糖一水和物、スプレー乾燥乳糖、無水結晶乳糖）を混合してｒ−ｈＧＨ／乳糖混合粉末を調製し、保存条件を変えて苛酷試験を行い、成長ホルモンの安定性を比較した。保存中の乾燥剤としては、ＲＰ剤（三菱ガス化学製）又はＭＳ−セラム−Ｗ（東海化学工業所製）を用いた。ＲＰ剤は、乾燥機能を備えた脱酸素剤である。ＭＳ−セラム−Ｗは、合成ゼオライトよりなる板状の乾燥剤であり、脱酸素作用は有しない。
【００１７】
試験において用いた成長ホルモンは、アミノ酸１９１個の天然ヒト成長ホルモン（２２Ｋ　ｈＧＨ）と同一のアミノ酸配列を有する組換えヒト成長ホルモン（末端Ｎメチオニンを選択的に酵素切断除去したもの）（ＢＴＧ社製）である。
【００１８】
乳糖一水和物としては、Ｒｅｓｐｉｔｏｓｅ（ＤＭＶ　Ｉｎｔｅｒｎａｔｉｏｎａｌ製，　Ｖｅｇｈｅｌ，　Ｎｅｔｈｅｒｌａｎｄｓ）　を、無水乳糖としては、ＤＭＶ　Ｉｎｔｅｒｎａｔｉｏｎａｌ社製の無水結晶乳糖Ｐｈａｒｍａｔｏｓｅ　ＤＣＬ−２１（水分含量１％以下）を用い、スプレー乾燥乳糖は、乳糖を次の通りに水に溶解し噴霧乾燥と流動層造粒を一工程で調製したもの（殆ど非晶質）を用いた。すなわち、乳糖（Ｐｈａｒｍａｔｏｓｅ　３５０Ｍ，　ＤＭＶ　Ｉｎｔｅｒｎａｔｉｏｎａｌ製）を精製水に溶解し、造粒装置マルチプレックスＦＤ−ＭＰ−１０（（株）パウレック）で造粒した。このときチャンバーとしてはＷｕｒｓｔｅｒカラムなしの流動層造粒容器を用い、スプレーガンはボトムスプレーの位置に固定し、スプレーノズルとしては、２流体特殊Ａノズルガンを用いた。造粒後の乳糖を、６３〜９０μｍに分級した。
【００１９】
１．ｒ−ｈＧＨ／乳糖混合粉末の調製
作業は室温２５℃±２℃、湿度２０〜３０％ＲＨの環境下で実施した。
表１に示した組み合わせに従って、混合物Ｉ〜ＩＶの４種類のｒ−ｈＧＨ／乳糖混合粉末を調製した。混合物Ｉ用の成長ホルモン原体には混合粉末の調製に先立って乾燥処理を施さなかったのに対し、混合物ＩＩ〜ＩＶ用の成長ホルモン原体には混合粉末の調製に先立って乾燥処理を施したものを用いた。また、乳糖に関して、混合物Ｉ及びＩＩには、上記乳糖一水和物を、混合物ＩＩＩには乳糖を水に溶解しスプレー造粒装置を用いて製造した上記スプレー乾燥乳糖を、そして混合物ＩＶには上記無水乳糖を、それぞれ用いた。
【００２０】
各混合粉末とも、ＨＰＭＣカプセルに充填し、乾燥機能のある脱酸素剤であるＲＰ剤（ＲＰ−３Ａ，３５×１２０　ｍｍ；三菱ガス化学製）又はＭＳ−セラム−Ｗ（１０ｇ，６０×４０　ｍｍ；東海化学工業所製）と共に又はそれらを伴なわずに、ガスバリア性のアルミ袋（１８０×２５０　ｍｍ）に封入した。
【００２１】
なお、成長ホルモン原体の乾燥前後に試料を各々５０ｍｇ採取し、カールフィッシャー法（電量滴定法）による水分含量の測定を行った。
【００２２】
【表１】
2004051502.tif 000002
【００２３】
〔混合物Ｉ〕　試験群１〜３
成長ホルモン原体０．０７ｇと乳糖一水和物　２．０３ｇを３０ｍＬ容梨型沈殿管に入れて密栓し、手に持って振とう混合した。ｒ−ｈＧＨ／乳糖混合品をＨＰＭＣカプセルに３０ｍｇずつ充填し、仕込み本数は６０カプセルとした。ガスバリア性アルミ袋にＲＰ剤を１個入れ、それに充填済みのカプセルを３個ずつ入れてヒートシールしたものを計６袋調製した（試験群１）。ＲＰ剤の代わりにＭＳ−セラム−Ｗを入れ、充填済みのカプセルを３個ずつ入れてヒートシールしたものも計６袋調製した（試験群２）。さらに、乾燥剤は入れずに充填済みのカプセル３個のみを入れてヒートシールしたものも計６袋調製した（試験群３）。
【００２４】
〔混合物ＩＩ〕　試験群４〜６
成長ホルモン原体をデシケーターに入れ、シリカゲル存在下、真空ポンプで脱気を行い、４時間乾燥させた。こうして乾燥処理を施した成長ホルモン原体０．０７ｇと乳糖一水和物　２．０３ｇを３０ｍＬ容梨型沈殿管に入れて密栓し、手に持って振とう混合した。ｒ−ｈＧＨ／乳糖混合品をＨＰＭＣカプセルに３０ｍｇずつ充填し、仕込み本数は６０カプセルとした。ガスバリア性アルミ袋にＲＰ剤を１個入れ、それに充填済みのカプセルを３個ずつ入れてヒートシールしたものを計６袋調製した（試験群４）。ＲＰ剤の代わりにＭＳ−セラム−Ｗを入れ、充填済みのカプセルを３個ずつ入れてヒートシールしたものも計６袋調製した（試験群５）。さらに、乾燥剤は入れずに充填済みのカプセル３個のみを入れてヒートシールしたものも計６袋調製した（試験群６）。
【００２５】
〔混合物ＩＩＩ〕　試験群７〜９
乾燥処理（減圧、シリカゲル、４時間）を施した成長ホルモン原体０．０７ｇとスプレー乾燥乳糖２．０３ｇを用いて上記と同様に調製したｒ−ｈＧＨ／乳糖混合品を６０カプセル充填し、ＲＰ剤（試験群７）又はＭＳ−セラム−Ｗ（試験群８）と共に、又はこれらを伴なうことなく（試験群９）、アルミ袋に３カプセルずつ入れて、ヒートシールしたものを６袋ずつ計１８袋調製した。
【００２６】
〔混合物ＩＶ〕　試験群１０〜１２
乾燥処理（減圧、シリカゲル、４時間）を施した成長ホルモン原体０．０７ｇと無水結晶乳糖２．０３ｇを用いて上記と同様に調製したｒ−ｈＧＨ／乳糖混合品を６０カプセル充填し、ＲＰ剤（試験群１０）又はＭＳ−セラム−Ｗ（試験群１１）と共に、又はこれらを伴なうことなく（試験群１２）、アルミ袋に３カプセルずつ入れて、ヒートシールしたものを６袋ずつ計１８袋調製した。
【００２７】
２．試験条件
被験物質を表１に示すように４０±２℃の温度条件で保存し、表２に示す測定時期に取り出し、各項目の測定を実施した。ｒ−ｈＧＨ単量体の含量、脱アミド体含量、及びタンパク質含量の測定には、１回に同一の３カプセルを用いた。なお、試験開始時の測定に関する限り、混合物Ｉ〜ＩＶの単位で行い、同一混合物内のサンプルについての各測定値は同一であると見なした。
【００２８】
【表２】
2004051502.tif 000003
【００２９】
３．測定方法
（１）単量体含量
（ｉ）　リン酸緩衝液の調製：　リン酸二水素ナトリウム二水和物１５．６ｇ、リン酸水素二ナトリウム十二水和物３５．８ｇ及び塩化ナトリウム１１．７ｇを水に溶かして１０００ｍＬとした後、０．２２μｍのフィルターで濾過した。
（ｉｉ）　試料溶液及び標準溶液の調製：　試料を水に溶解し、試料溶液中の成長ホルモン濃度が０．７〜２．１ｍｇ／ｍＬの範囲内となるように調製した。別に、成長ホルモン標準品の既知量を水に溶解し、標準溶液とした。
（ｉｉｉ）　分析操作
試料溶液及び標準溶液につき以下の条件でＨＰＬＣを行い、試料中の単量体の含量を、
単量体（％）＝単量体ピーク面積／（単量体ピーク面積＋二量体ピーク面積）×１００
として算出した。
＜ＨＰＬＣ条件＞
分離カラム：　ＨＰＬＣ用親水性シリカゲルカラム　ＴＳＫ　Ｇ３０００ＳＷＸＬ（東ソー製、７．８×３００ｍｍ）
ガードカラム：　ＴＳＫ　ｇｕａｒｄｃｏｌｕｍｎ　ＳＷＸＬ（東ソー製）
カラム温度：　２５℃
移動相：　リン酸緩衝液
流速：　０．６ｍＬ／分
注入液量：　５０μＬ
検出波長：　２８０ｎｍ
保持時間：　単量体；約１８分、二量体；約１７分
【００３０】
（２）脱アミド体含量
（ｉ）　トリス／ｎ−プロパノール緩衝液の調製：　トリス（ヒドロキシメチル）アミノメタン１２ｇに水１９００ｍＬを加えて溶かし、６Ｍ塩酸でｐＨ７．５に調整した。これを水で２０００ｍＬとした後、０．２２μｍのフィルターで濾過した。この溶液とｎ−プロパノールとを、体積比７１：２９で混合した。
（ｉｉ）　試料溶液及び標準溶液の調製：　試料を水に溶解し、試料溶液中の成長ホルモン濃度が１．２〜２．０ｍｇ／ｍＬの範囲内となるように調製した。別に、成長ホルモン標準品の既知量を水に溶解し、標準溶液とした。
（ｉｉｉ）　分析操作
試料溶液及び標準溶液につき以下の条件でＨＰＬＣを行い、試料中のアミド体含量を算出した。
＜ＨＰＬＣ条件＞
分離カラム：　ＨＰＬＣ用親水性シリカゲルカラム　Ｐｒｏｔｅｉｎ　Ｃ４（Ｖｙｄａｃ製、Ｃａｔ．Ｎｏ．　２１４ＡＴＰ５４、４．６×２５０ｍｍ）
カラム温度：　４５℃
移動相：　トリス／ｎ−プロパノール緩衝液
流速：　０．５ｍＬ／分
注入液量：　５０μＬ
検出波長：　２８０ｎｍ
保持時間：脱アミド体；１５〜６０分（３０〜３６分を除く）、主ピーク；３０〜３６分
【００３１】
（３）タンパク質含量
上記（１）の測定における単量体のピーク面積を用いて、次の式に従い試料中のタンパク質含量を算出した。
試料中のタンパク質量（ｍｇ）
＝標準品のタンパク質（ｍｇ／バイアル）
×試料の単量体ピーク面積／標準品の単量体ピーク面積
×試料の溶解液量（ｍＬ）／標準品の溶解液量（ｍＬ）
【００３２】
（４）水分含量及び性状
各検体の性状を目視観察により確認した後に、それぞれカールフィッシャ水分計（ＭＫＣ−２１０、京都電子工業（株）製）により水分含量を測定した。
【００３３】
（５）統計解析
測定結果の統計解析は、多変量解析法の重回帰分析を用い、目的変数に対する説明変数（制御変数）の影響について、偏回帰係数の観点から行った。
【００３４】
４．試験結果
（１）成長ホルモン原体の水分含量
成長ホルモン原体の乾燥処理（減圧、シリカゲル、４時間）前後における、カールフィッシャー法による水分含量の測定結果を表３に示す。乾燥処理後においても成長ホルモン原体には約３％の結合水が含まれていた。
【００３５】
【表３】
2004051502.tif 000004
【００３６】
（２）苛酷試験結果
（ａ）性状：　いずれの被験物質においても、試験期間内では性状はすべて白色粉末であり、変化は認めなかった。
【００３７】
（ｂ）水分含量：　表４には、各試験群についての平均水分含量（％）の経時的推移を、表５には、各試験群の個々のサンプルについての、試験開始時の水分含量（％）と、その経時的な、増減量を示す。水分含量は、組成物Ｉ、ＩＩ、及びＩＶではあまり経時変化がなかったが、組成物ＩＩＩでは顕著な経時変化を認めた。組成物ＩＩＩの水分含量は、試験開始時で２．７％であったのが、乾燥剤（ＲＰ剤又はＭＳ−セラム−Ｗ）を使用した群では１４日後には０．６％以下に減少し、乾燥剤不使用の群では逆に４．２％に上昇した。ｒ−ｈＧＨ／乳糖混合品の水分含量は、組成比（１：２９）から見て、乳糖の水分含量に大部分依存している。このことから、スプレー乾燥乳糖（ほとんどが非晶質）は雰囲気中の水分を吸収する傾向があり、このため、製剤の水分含量が経時的に変化を受けやすくなると結論できる。ＲＰ剤とＭＳ−セラム−Ｗとの比較では、組成物Ｉ〜ＩＶの何れについても、ＭＳ−セラム−Ｗを使用した方が水分含量が低く、従って、ＭＳ−セラム−ＷはＲＰ剤より乾燥効果が高いことが示された。またこれらのことは、統計的にも確認された。
【００３８】
【表４】
2004051502.tif 000005
【００３９】
【表５】
2004051502.tif 000006
【００４０】
（ｃ）単量体含量：　表６に各試験群についての単量体含量の経時的推移を、表７には、各試験群の個々のサンプルについての試験開始時の単量体含量とその経時的な増減量を示す。表に見られる通り、試験期間内で二量体含量は経時的に増加し、単量体含量はそれに応じて経時的に減少した。この経時変化は、乾燥剤を使用しない群において顕著であり（試験群３、６、９、１２）、ＲＰ剤又はＭＳ−セラム−Ｗを用いた群では、大幅に安定化されていた。単量体含量の経時変化が最も少なかったのは、成長ホルモンとして乾燥処理を施したものを、且つ乳糖として無水乳糖又はスプレー乾燥乳糖を使用し、且つＲＰ剤を共存させた場合であった。また、ＲＰ剤とＭＳ−セラム−Ｗとの比較では、何れの組成物の場合も、ＲＰ剤の方がより優れていることが判明した。これらの結果は、統計的にも確認された。
【００４１】
【表６】
2004051502.tif 000007
【００４２】
【表７】
2004051502.tif 000008
【００４３】
（ｄ）脱アミド体含量：　表８に脱アミド体含量の経時的推移を、表９に各試験群の個々のサンプルについての試験開始時の脱アミド体含量とその経時的増減量を示す。表に見られる通り、脱アミド体含量は経時的に増加し、乾燥剤を使用しない群において顕著であり（試験群３、６、９、１２）、ＲＰ剤又はＭＳ−セラム−Ｗを用いた群では大幅に大幅に安定化されていた。また脱アミド体含量の増加は、無水乳糖及びスプレー乾燥乳糖の場合に抑制された。ＲＰ剤とＭＳ−セラム−Ｗとの比較では、何れの組成物についても、ＲＰ剤の方が優れていた。これらの結果は、統計的にも確認された。
【００４４】
【表８】
2004051502.tif 000009
【００４５】
【表９】
2004051502.tif 000010
【００４６】
（ｅ）タンパク質含量：　結果を下の表１０に示す。タンパク質含量の経時変化には、測定誤差によると見られるばらつきが認められたが、乾燥剤不使用の群では、タンパク質含量の低下が顕著であり（Ｎｏ．　３，　６，　９，　１２）、ＲＰ剤又はＭＳ−セラム−Ｗを用いた群ではタンパク質含量の低下は軽微であった。また、ＲＰ剤とＭＳ−セラム−Ｗとの比較では、ＲＰ剤の方が優れている傾向が認められた。
【００４７】
【表１０】
2004051502.tif 000011
【００４８】
以上の全結果より、乳糖混合物中の成長ホルモンの安定化のためには、用いる乳糖として、乾燥度の高いもの、すなわち、乳糖一水和物よりもスプレー乾燥乳糖を、更にはスプレー乾燥乳糖よりも無水乳糖（水分含量１％以下）を使用し、混合物を、ガスバリア性の容器内に密封し、且つ容器内に、雰囲気中の水分及び酸素を除去する作用を有する物質を、成長ホルモンとの直接接触を回避する状態で封入することによって、成長ホルモンと乳糖とからなる混合粉末の保存安定性を改善することができることが判明した。
【００４９】
【発明の効果】
本発明は、成長ホルモンと乳糖とからなる、保存安定性に優れた成長ホルモン粉末製剤を提供することを可能にする。